(57)【特許請求の範囲】
【請求項１】
筒状の缶胴の一端部にテーパ状のネックイン部を形成して該缶胴の開口径を縮径するネックイン缶の製造方法であって、缶胴の縦方向に延びる円柱状の第１下型に前記缶胴を外挿して支持し、該缶胴の上端部に、その外周を第１上型により押圧し縮径して第１段部を成形する第１段部成形工程と、前記第１段部にその内方から当接する第１段部当接部と、該第１段部当接部の上部に前記第１段部により縮径された缶胴内面に摺接し且つ付勢手段により上方に付勢された状態で上下動自在の第２中子とを備える円柱状の第２下型に前記缶胴を外挿して支持し、前記第１段部に第１段部当接部が当接した状態で、前記第２中子の付勢によって第２上型の下動に抵抗を付与しつつ第１段部に連続する上方外周を第２上型により押圧し縮径して第２段部を成形する第２段部成形工程と、前記第１段部にその内方から当接する第１段部当接部と、前記第２段部にその内方から当接する第２段部当接部と、該第２段部当接部の上部に前記第２段部により縮径された缶胴内面に摺接し且つ付勢手段により上方に付勢された状態で上下動自在の第３中子とを備える円柱状の第３下型に前記缶胴を外挿して支持し、前記第１段部及び第２段部に第１段部当接部及び第２段部当接部が当接した状態で、前記第３中子の付勢によって第３上型の下動に抵抗を付与しつつ第２段部に連続する上方外周を第３上型により押圧し縮径して第３段部を成形する第３段部成形工程と、前記缶胴を縦方向に外挿する第４下型と該缶胴の上方から押圧する第４上型とによって、前記各工程により缶胴の一端部に形成された第１段部乃至第３段部を縮径方向に向かって平坦に成形してテーパ状のネックイン部に成形するネックイン部成形工程とを備えることを特徴とするネックイン缶の製造方法。
【請求項２】
前記第１下型は、その上部に前記缶胴内面に摺接し且つ付勢手段により上方に付勢された状態で上下動自在の第１中子を備えていることを特徴とする請求項１記載のネックイン缶の製造方法。
【発明の詳細な説明】
【０００１】
【産業上の利用分野】
本発明は、缶胴の開校端部を縮径するために、その一端部にテーパ状のネックイン部を形成したネックイン缶の製造方法に関する。
【０００２】
【従来の技術】
従来、缶胴の開口端部を階段状に連続して縮径したネックイン部を有するネックイン缶が知られている。ネックイン缶は、缶胴を閉塞する缶蓋の外径が小さくてすむので缶蓋の材料の節約ができる。更に、近年、この種の缶胴もその材料を節約するために肉厚が薄く形成される傾向にある。
【０００３】
ネックイン部は、開口端部に向かって階段状に連続して縮径する複数の段部が絞り加工によって成形されるが、缶胴の肉厚が薄く各段部の縮径量が大きいと、絞り加工時に段部に発生した余肉が吸収できず、該段部に皺が発生しやすい。また、互いに隣合う段部の境界の座屈強度が弱く、巻締時に上の段部が下の段部に没入するように変形する不都合がある。
【０００４】
それを避けるために、テーパ状に縮径したネックイン部を有するネックイン缶が知られている。
【０００５】
テーパ状のネックイン部は、開口端部に向かって所定寸法毎に複数回の絞り加工が行われて徐々に縮径量を増すように成形されるが、このとき１回の絞り加工による縮径量が大きいと、前記段部を成形した場合と同様に、縮径した部分に皺が発生する不都合がある。従って、１回の絞り加工による縮径量を小さくする必要があり、比較的大きな縮径量を得るためには、絞り加工の工程数が著しく増加する不都合がある。
【０００６】
【発明が解決しようとする課題】
かかる不都合を解消して、本発明は、少ない工程数で皺を発生させることなく十分な縮径量を有し、且つ強度に優れたテーパ状のネックイン部を形成することができるネックイン缶の製造方法を提供することを目的とする。
【０００７】
【課題を解決するための手段】
かかる目的を達成するために、本発明は、筒状の缶胴の一端部にテーパ状のネックイン部を形成して該缶胴の開口径を縮径するネックイン缶の製造方法であって、缶胴の縦方向に延びる円柱状の第１下型に前記缶胴を外挿して支持し、該缶胴の上端部に、その外周を第１上型により押圧し縮径して第１段部を成形する第１段部成形工程と、前記第１段部にその内方から当接する第１段部当接部と、該第１段部当接部の上部に前記第１段部により縮径された缶胴内面に摺接し且つ付勢手段により上方に付勢された状態で上下動自在の第２中子とを備える円柱状の第２下型に前記缶胴を外挿して支持し、前記第１段部に第１段部当接部が当接した状態で、前記第２中子の付勢によって第２上型の下動に抵抗を付与しつつ第１段部に連続する上方外周を第２上型により押圧し縮径して第２段部を成形する第２段部成形工程と、前記第１段部にその内方から当接する第１段部当接部と、前記第２段部にその内方から当接する第２段部当接部と、該第２段部当接部の上部に前記第２段部により縮径された缶胴内面に摺接し且つ付勢手段により上方に付勢された状態で上下動自在の第３中子とを備える円柱状の第３下型に前記缶胴を外挿して支持し、前記第１段部及び第２段部に第１段部当接部及び第２段部当接部が当接した状態で、前記第３中子の付勢によって第３上型の下動に抵抗を付与しつつ第２段部に連続する上方外周を第３上型により押圧し縮径して第３段部を成形する第３段部成形工程と、前記缶胴を縦方向に外挿する第４下型と該缶胴の上方から押圧する第４上型とによって、前記各工程により缶胴の一端部に形成された第１段部乃至第３段部を縮径方向に向かって平坦に成形してテーパ状のネックイン部に成形するネックイン部成形工程とを備えることを特徴とする。
【０００８】
また、前記第１下型は、その上部に前記缶胴内面に摺接し且つ付勢手段により上方に付勢された状態で上下動自在の第１中子を備えていることが好ましい。
【０００９】
【作用】
本発明によれば、第１段部乃至第３段部を成形した後、各段部を平坦にすることによってテーパ状のネックイン部を成形する。
【００１０】
第２段部は、第１段部に隣接してその上方を更に縮径するために、第２段部の成形時の押圧力の影響を受けて第１段部が変形しやすいが、前記第１段部当接部が第１段部を内側から押さえて第２段部の成形時の押圧力に対抗するので、第１段部の変形が防止される。更にこのとき、第２段部は縮径される段階でその内周面に部分的に余肉が集中して皺が発生しやすいが、第２中子が第２上型による第２段部の成形箇所を内側から抑圧し、しかも第２中子の付勢手段によって第２上型の下動に抵抗が付された状態で第２段部が成形されるので、余肉が第２中子の当接された缶胴の周壁に分散し、皺の発生が防止される。第２段部が成形された後に第２上型が上動したとき、第２中子は付勢手段による付勢が開放されて缶胴を上方に持ち上げ、第２下型からの缶胴の脱型を容易とする。
【００１１】
第３段部を成形する際も上記と同様に、前記第１段部当接部及び第２段部当接部が第１及び第２段部を内側から押さえて第３段部の成形時の押圧力に対抗する。第３中子が第３上型による第３段部の成形箇所を内側から抑圧し、しかも第３中子の付勢手段によって第３上型の下動に抵抗が付された状態で第３段部が成形される。第３上型が上動したとき、第３中子は付勢手段によって第３下型から缶胴を上方に離反させる。
【００１２】
そして、変形も皺の発生もなく成形された各段部を、第４下型と第４上型とによって押圧して、各段部の段差を平坦に成形してテーパ状とするので、座屈強度の高いネックイン部が、少ない工程数で皺が発生することなく形成される。
【００１３】
更に、本発明において、前記第１下型に上方に付勢された第１中子を設けることにより、第１段部が成形された後の缶胴を第１下型から離反させ、脱型が容易となる。
【００１４】
【実施例】
本発明の一実施例を図面に基づいて説明する。図１（ａ）は第１金型を示す説明的縦断面図、図１（ｂ）は第１金型による成形後の缶胴の要部を示す説明的縦断面図、図２（ａ）は第２金型を示す説明的縦断面図、図２（ｂ）は第２金型による成形後の缶胴の要部を示す説明的縦断面図、図３（ａ）は第３金型を示す説明的縦断面図、図３（ｂ）は第３金型による成形後の缶胴の要部を示す説明的縦断面図、図４（ａ）は第４金型を示す説明的縦断面図、図４（ｂ）は第４金型による成形後の缶胴の要部を示す説明的縦断面図、図５（ａ）は第５金型を示す説明的縦断面図、図５（ｂ）は第５金型による成形後の缶胴の要部を示す説明的縦断面図である。
【００１５】
先ず、本実施例において採用する各金型の構成について説明する。第１金型１は、図１（ｂ）に示すように、缶胴Ｗに第１段部ａを成形するための金型であり、図１（ａ）に示すように、大略円柱状の第１下型２と、該第１下型２の上部に上下動自在に設けられた第１中子３と、該第１中子３に向かって下降して該第１中子３に圧接自在の第１上型４とによって構成されている。
【００１６】
該第１金型１の第１下型２には、缶胴Ｗを外挿する外挿部５と、該外挿部５の下端部外周に張り出して設けられ、缶胴Ｗの底縁部を支持して該外挿部５への缶胴Ｗの外挿状態を維持する底縁部支持部６と、前記第１中子３の上下動を案内する中子案内部７と、該中子案内部７に連なって更に下方に延びて形成され、前記第１中子３を上方に付勢するためのバネ８を内部に収納するバネ収納部９とが備えられている。
【００１７】
前記第１金型１の第１中子３は、その上端周縁に、缶胴Ｗの第１段部ａを成形するための形状を有する第１段部成形部１０が形成されている。該第１中子３は、前記第１下型２のバネ収納部９に収納されたバネ８によって上方に付勢された状態で、前記第１下型２の中子案内部７によって上下動に案内される。該第１中子３は、缶胴Ｗへの第１段部ａの成形時に前記第１上型４に押し下げられ、最終的には第１段部成形部１０が第１段部ａの成形位置に達したとき前記第１下型２の外挿部５先端によって下動が停止される。
【００１８】
前記第１金型１の第１上型４は、図示しない昇降装置により前記第１中子３への圧接方向に下降され、該第１上型４の下部には該第１中子３の第１段部成形部１０に対応する形状を有して缶胴Ｗの第１段部ａを成形する第１段部成形部１１が備えられている。
【００１９】
第２金型１２は、図２（ｂ）に示すように、缶胴Ｗの第１段部ａに連なる上方に第２段部ｂを成形するための金型であり、図２（ａ）に示すように、大略円柱状の第２下型１３と、該第２下型１３の上部に上下動自在に設けられた第２中子１４と、該第２中子１４に向かって下降して該第２中子１４に圧接自在の第２上型１５とによって構成されている。
【００２０】
該第２金型１２の第２下型１３には、前記第１金型１の第１下型２と同様に缶胴Ｗを外挿する外挿部１６と、缶胴Ｗの底縁部を支持する底縁部支持部１７とが備えられている。該第２下型１３には、缶胴Ｗの内方から前記第１段部ａに先端周縁を当接させる第１段部当接部１８が、該第２下型１３の外挿部１６に連続して円筒状に上方に向かって延設されている。該第１段部当接部１８は、その内側に第２中子１４を案内する中子案内部１９が形成されており、該中子案内部１９の下方には、前記第２中子１４を上方に付勢するためのバネ２０を内部に収納するバネ収納部２１が形成されている。
【００２１】
前記第２金型１２の第２中子１４は、その上端周縁に、缶胴Ｗの第２段部ｂを成形するための形状を有する第２段部成形部２２が形成されており、図１（ｂ）に示す第１段部ａの内周縁から上方に延びる缶胴Ｗの縮径された内面に摺接する外径に形成されている。該第２中子１４は、図２（ａ）に示すように、前記第２下型１３のバネ収納部２１に収納されたバネ２０によって上方に付勢され、その状態で、前記第２下型１３の中子案内部１９に上下動自在に支持されている。該第２中子１４は、缶胴Ｗへの第２段部ｂの成形時に前記第２上型１５にバネ２０の付勢による抵抗を付与しつつ押し下げられ、最終的には第２段部成形部２２が第２段部ｂの成形位置に達したとき前記第２下型１３の外挿部１６上端によって下動が停止される。
【００２２】
前記第２金型１２の第２上型１５は、図示しない昇降装置により前記第２中子１４への圧接方向に下降され、該第２上型１５の内部には該第２中子１４の第２段部成形部２２に対応する形状を有して缶胴Ｗの第２段部ｂを成形する第２段部成形部２３と、第１段部当接部１８に対応する第１段部形状部２４とが形成されている。
【００２３】
第３金型２５は、図３（ｂ）に示すように、缶胴Ｗの第２段部ｂに連なる上方に第３段部ｃを成形するための金型であり、図３（ａ）に示すように、大略円柱状の第３下型２６と、該第３下型２６の上部に上下動自在に設けられた第３中子２７と、該第３中子２７に向かって下降して該第３中子２７に圧接自在の第３上型２８とによって構成されている。
【００２４】
該第３金型２５の前記第３下型２６には、前記第２金型１２の第２下型１３と同様に缶胴Ｗを外挿する外挿部２９と、缶胴Ｗの底縁部を支持する底縁部支持部３０と、缶胴Ｗの内方から前記第１段部ａに先端周縁を当接させる第１段部当接部３１とが設けられている。該第１段部当接部３１の内側には缶胴Ｗの内方から前記第２段部ｂに先端周縁を当接させる第２段部当接部３２が設けられている。該第２段部当接部３２は、その内側に第３中子２７を案内する中子案内部３３が形成されており、該中子案内部３３の下方には、前記第３中子２７を上方に付勢するためのバネ３４を内部に収納するバネ収納部３５が形成されている。
【００２５】
前記第３金型２５の第３中子２７は、その上端周縁に、缶胴Ｗの第３段部ｃを成形するための形状を有する段部成形部３６が形成されており、図２（ｂ）に示す第１段部ａの内周縁から上方に延びる缶胴Ｗの縮径された内面に摺接する外径に形成されている。該第３中子２７は、図３（ａ）に示すように、前記第３下型２６のバネ収納部３５に収納されたバネ３４によって上方に付勢されており、前記第３下型２６の中子案内部３３に上下動自在に支持されている。該第３中子２７は、缶胴Ｗへの第３段部ｃの成形時に前記第３上型２８にバネ３４の付勢による抵抗を付与しつつ押し下げられ、最終的には段部成形部３６が第３段部ｃの成形位置に達したとき前記第３下型２６の外挿部２９上端によって下動が停止される。
【００２６】
前記第３金型２５の第３上型２８は、図示しない昇降装置により前記第３中子２７への圧接方向に下降され、該第３上型２８の内部には該第３中子２７の第３段部成形部３６に対応する形状を有して缶胴Ｗの第３段部ｃを成形する第３段部成形部３７と、第１段部当接部３１及び第２段部当接部３２に夫々対応する第１段部形状部３８及び第２段部形状部３９とが形成されている。
【００２７】
第４金型４０は、図３（ｂ）に示した第１乃至第３段部ａ，ｂ，ｃを、図４（ｂ）に示すように平坦に成形してテーパ状のネックイン部ｄを成形するための金型であり、図４（ａ）に示すように、大略円柱状の第４下型４１と、該第４下型４１に向かって下降して該下型に圧接自在の第４上型４２とによって構成されている。
【００２８】
該第４金型４０の第４下型４１には、缶胴Ｗを外挿する外挿部４３と、缶胴Ｗの底縁部を支持する底縁部支持部４４とが備えられており、外挿部４３の上部に連なって次第に縮径するテーパ状に形成されたテーパ成形部４５が設けられている。該テーパ成形部４５は、段階的に縮径する第１乃至第３段部ａ，ｂ，ｃを直線状に縮径させた場合に等しい角度の傾斜面により形成されており、図４（ｂ）に示すネックイン部ｄに対応する形状を有している。
【００２９】
前記第４金型４０の第４上型４２は、図示しない昇降装置により前記テーパ成形部４５への圧接方向に下降され、該第４上型４２の内部には該テーパ成形部４５に対応する形状を有して缶胴Ｗのネックイン部ｄを成形するテーパ成形部４６が備えられている。
【００３０】
第５金型４７は、図５（ｂ）に示すように、缶胴Ｗの上端縁全周にカールフランジ部ｅを成形すると共に缶胴Ｗの下端部に底部ネックイン部ｄを成形するための金型である。該第５金型４７は、図５（ａ）に示すように、缶胴Ｗを支持するため該缶胴Ｗの底部を挿着する底部挿着部４８と、該底部挿着部４８から連なって縮径された凹部によって形成された底部ネックイン成形部４９とが形成された第５下型５０を備え、該第５下型５０に支持された缶胴Ｗの上部に当接して該缶胴Ｗの上端縁にカールフランジ部ｅを成形するカールフランジ成形部５１が形成されて図示しない昇降装置により昇降される第５上型５２を備えている。
【００３１】
次に、上記の各金型１，１２，２５，４０，４７による各工程を説明する。
【００３２】
図１（ａ）に示すように、缶胴Ｗは、第１金型１の第１下型２に外挿支持される。次いで、第１金型１の第１上型４が下降され缶胴Ｗの上部が押圧される。このとき、缶胴Ｗの上部は該第１上型４の第１段部成形部１１に当接された部分から徐々に縮径され、該第１上型４の第１段部成形部１１が缶胴Ｗを介して第１中子３の第１段部成形部１０に当接された後には、第１中子３が下降して停止されるまで第１上型４が下降される。そして、第１上型４の第１段部成形部１１と、第１中子３の第１段部成形部１０との押圧によって、図１（ｂ）に示すように、缶胴Ｗに第１段部ａが成形される。第１段部ａの成形が終了したときには、第１上型４が上昇され、第１中子３のバネ８の付勢により該第１中子３の第１段部成形部１０が第１段部ａの内側に当接した状態で缶胴Ｗを持ち上げる。これにより、缶胴Ｗを容易に第１下型２から離型できる。
【００３３】
続いて、図２（ａ）に示すように、前記第１金型１によって第１段部ａが成形された缶胴Ｗが、第２金型１２の第２下型１３に外挿支持される。該第２下型１３に支持された缶胴Ｗは、第１段部ａの内側に第１段部当接部１８が当接される。第２金型１２の第２上型１５が下降され缶胴Ｗの上部が押圧される。これにより、缶胴Ｗの上部は該第２上型１５の第２段部成形部２３に当接された部分から徐々に縮径される。このとき、該第２上型１５の第２段部成形部２３が缶胴Ｗを介して第２中子１４の第２段部成形部２２に当接された後には、第２中子１４が第２上型１５による第２段部ｂの成形箇所を内側から抑圧し、しかも該第２中子１４のバネ２０による付勢によって第２上型１５の下動に抵抗が付された状態で第２段部ｂが成形されるので、第２段部ｂが成形される際に生じる余肉が第２中子１４の当接された缶胴Ｗの周壁に分散され、皺の発生を防止することができる。更に、第１段部ａは第１段部当接部１８によって第２段部ｂが押圧成形される際の押圧力に対抗されるので、第１段部ａの変形も防止することができる。従って、缶胴Ｗの肉厚が比較的薄いものであっても、第１段部ａの変形や皺の発生を防止して第２段部ｂが成形され、缶胴Ｗの上端部に十分な縮径量を得ることができる。
【００３４】
そして、この状態で第２中子１４が下降して停止されるまで第２上型１５が下降され、第２上型１５の第２段部成形部２３と、第２中子１４の第２段部成形部２２との押圧によって、図２（ｂ）に示すように、缶胴Ｗに第２段部ｂが成形される。第２段部ｂの成形が終了したときには、第２上型１５が上昇され、第２中子１４のバネ２０の付勢により該第２中子１４の第２段部成形部２２が第２段部ｂの内側に当接した状態で缶胴Ｗを持ち上げる。これにより、缶胴Ｗを容易に第２下型１３から離型できる。
【００３５】
続く第３金型２５においては、図３（ａ）に示すように、第２金型１２と同様に第３上型２８の下降押圧によって缶胴Ｗに第３段部ｃが成形される。このときにも、該第３中子２７が第３上型２８による第３段部ｃの成形箇所を内側から抑圧しており、しかも該第３中子２７のバネ３４による付勢によって第３上型２８の下動に抵抗が付された状態で第３段部ｃが成形されるので、第３段部ｃが成形される際に生じる余肉による皺の発生が防止されている。同時に、第１段部ａと第２段部ｂとには、それらの内側から第１段部当接部３１と第２段部当接部３２とが当接されているので、第３段部ｃが成形される際に第１段部ａと第２段部ｂとの座屈による変形が防止されている。従って、該第３金型２５においても、前記第２金型１２と同様に、肉厚の薄い缶胴Ｗに好適であり、第１及び第２段部ａ，ｂの変形や皺の発生を防止して第３段部ｃを成形することができ、缶胴Ｗの上端部に十分な縮径量を得ることができる。
【００３６】
そして、第３上型２８の段部成形部３７と、第３中子２７の段部成形部３６との押圧によって、図３（ｂ）に示すように、缶胴Ｗに第３段部ｃが成形される。第３段部ｃの成形が終了したときには、第３上型２８が上昇され、第３中子２７のバネ３４の付勢により該第３中子２７の段部成形部３６が第３段部ｃの内側に当接した状態で缶胴Ｗを持ち上げる。これにより、缶胴Ｗを容易に第３下型２６から離型できる。
【００３７】
次いで、図４（ａ）に示すように、前記第４金型４０の第４下型４１に缶胴Ｗが外挿支持され、該第４金型４０の第４上型４２が下降する。前記第１乃至第３金型１，１２，２５によって成形された缶胴Ｗの第１乃至第３段部ａ，ｂ，ｃは、第４下型４１のテーパ成形部４５と第４上型４２のテーパ成形部４６とに上下から押圧されて平坦に成形される。これにより、図４（ｂ）に示すように、缶胴Ｗの上部にテーパ状のネックイン部ｄが成形される。このように、皺や変形を発生させることなく成形された第１乃至第３段部ａ，ｂ，ｃが十分な縮径量を形成しているので、該第４金型４０においては、缶胴Ｗの上部を更に縮径する必要がなく、第１乃至第３段部ａ，ｂ，ｃを平坦に成形するだけでよい。従って、少ない工程数でテーパ状のネックイン部ｄを成形することができる。
【００３８】
そして、図５（ａ）に示すように、缶胴Ｗは、第５金型４７において第５下型５０の底部挿着部４８に挿着され、該第５下型５０上に起立状態で支持される。第５上型５２が下降し、缶胴Ｗの上端縁にカールフランジ成形部５１が圧接される。このとき、第５下型５０の底部挿着部４８に挿着された缶胴Ｗの下端部は、第５上型５２の押圧力によって底部ネックイン成形部４９に押入れられる。これにより、第５下型５０と第５上型５２との間に挟持された状態にある缶胴Ｗは、図５（ｂ）に示すように、上端縁にカールフランジ部ｅが、下端部に底部ネックイン部ｄが夫々成形される。
【００３９】
【発明の効果】
以上のことから明らかなように、本発明は、第１段部の内側に前記第１段部当接部を当接し、第１中子の付勢によって第２上型の下動に抵抗を付与しつつ第２段部を成形し、同じように、第３段部が前記第２及び第３段部当接部を当接し、第２中子の付勢によって第３上型の下動に抵抗を付与しつつ第３段部を成形するので、缶胴の肉厚が薄くても座屈による歪みや余肉による皺を発生させることなく十分に縮径された連続する段部を成形することができる。そして、第１段部、第２段部、第３段部を成形した後に各段部を平坦に成形することにより、十分な縮径量を有するテーパ状のネックイン部を少ない工程数で成形することができる。
【００４０】
更に、本発明においては、付勢された第１中子を第２下型に、付勢された第２中子を第３下型に備えると共に、付勢された他の中子を第１下型に設けることにより、夫々の下型からの缶胴の離型を容易に行うことができる。
【図面の簡単な説明】
【図１】（ａ）は第１金型を示す説明的縦断面図、（ｂ）は第１金型による成形後の缶胴の要部を示す説明的縦断面図。
【図２】（ａ）は第２金型を示す説明的縦断面図、（ｂ）は第２金型による成形後の缶胴の要部を示す説明的縦断面図。
【図３】（ａ）は第３金型を示す説明的縦断面図、（ｂ）は第３金型による成形後の缶胴の要部を示す説明的縦断面図。
【図４】（ａ）は第４金型を示す説明的縦断面図、（ｂ）は第４金型による成形後の缶胴の要部を示す説明的縦断面図。
【図５】（ａ）は第５金型を示す説明的縦断面図、（ｂ）は第５金型による成形後の缶胴の要部を示す説明的縦断面図。
【符号の説明】
Ｗ…缶胴、ａ…第１段部、ｂ…第２段部、ｃ…第３段部、ｄ…ネックイン部、２…第１下型、４…第１上型、１８…第１段部当接部、１４…第２中子、１３…第２下型、１５…第２上型、３１…第２段部当接部、３２…第３段部当接部、２７…第３中子、２６…第３下型、２８…第３上型、４１…第４下型、４２…第４上型、３…第１中子、２０，３４…付勢手段（バネ）。
【図１】
0003611604.tif 000002
【図２】
0003611604.tif 000003
【図３】
0003611604.tif 000004
【図４】
0003611604.tif 000005
【図５】
0003611604.tif 000006